(57)【要約】【課題】  ファンーモーターの回転駆動による共振音を軽減することができ、ファンモーターを装備している機器における騒音を軽減でき、しかも追加部品を必要とせずに騒音を軽減できるファンモーターの取付構造を提供する。【解決手段】  ファンモーター２をリヤパネル１に取り付けるようにしたファンモーターの取付構造において、リヤパネル１におけるファンモーター２が取り付けられる箇所のファンモーター２の略中央部対向箇所に２つの略半球状の突起３、３が設けられ、ファンモーター２がリヤパネル１に取り付けられるときに、２つの突起３、３の先端がファンモーター２の底面に当接するように構成した。【選択図】  図１
2006002707.tif 000002
【特許請求の範囲】
【請求項１】
ファンモーターをリヤパネルに取り付けるようにしたファンモーターの取付構造において、前記リヤパネルにおける前記ファンモーターが取り付けられる箇所のファンモーターの略中央部対向箇所に２つの略半球状の突起が設けられ、前記ファンモーターがリヤパネルに取り付けられるときに、前記２つの突起の先端が前記ファンモーターの下面に当接するように構成したことを特徴とするファンモーターの取付構造。
【請求項２】
ファンモーターをリヤパネルに取り付けるようにしたファンモーターの取付構造において、前記リヤパネルの裏面あるいは前記ファンモーターの底面に、１つ以上の突起が設けられ、前記ファンモーターがリヤパネルに取り付けられるときに、前記突起の先端が前記ファンモーターの底面あるいは前記リヤパネルの底面に当接するように構成したことを特徴とするファンモーターの取付構造。
【請求項３】
前記突起が前記リヤパネルの裏面側に設けられて角錐状に形成されている請求項２に記載のファンモーターの取付構造。
【請求項４】
前記突起が前記ファンモーターの底面側に設けられて略半球状に形成されている請求項２に記載のファンモーターの取付構造。
【請求項５】
前記突起が前記ファンモーターの底面側に設けられて角錐状に形成されている請求項２に記載のファンモーターの取付構造。
【発明の詳細な説明】
【技術分野】
【０００１】
本発明は、ファンモーターをリヤパネルに取り付けるようにしたファンモーターの取付構造に関するものである。
【背景技術】
【０００２】
従来、この種のファンモーターの取付構造は、ファンモーターの底面をリヤパネルの裏面に当接した状態でファンモーターをリヤパネルにビス止めによって取り付けるようにしていた。このため、ファンモーターの振動がリヤパネルに直接伝わって共振音を産み出して、ファンモーターの回転音以外の騒音が発生してしまうという問題があった。
【０００３】
第１の従来技術を図７、図８に示す。これは、図７、図８に示すように、電子部品に接触させられるヒートシンク１０２に複数の放熱フィン１０２Ａ、１０２ａ、１０２ｂが形成されるとともに、これら放熱フィン１０２Ａ、１０２ａ、１０２ｂのうち少なくても一対の放熱フィン１０２ａ、１０２ａが相互に平行に形成され、両放熱フィン１０２ａ、１０２ａによってけいせいされる溝１０２ｃ内に、電子部品を空冷するためのファン１０３ａを回転駆動するモータ１０３がその軸方向を溝１０２ｃの長さ方向に一致させて嵌合され、両放熱フィン１０２ａ、１０２ａには、溝１０２ｃ内に嵌合されたモータ１０３を受けるモータボディ受け部１０２ｄが形成され、放熱フィン１０２ａ、１０２ａの上端にモータ１０３の端子１０３ｂを接続したプリント基板１０４が取り付けられ、該プリント基板１０４に、前記溝１０２に嵌合してモータ１０３をモータボディ受け部１０２ｄとの間で挟持する押え突起１０４ｂが形成されている。（例えば、特許文献１参照）。
【０００４】
ところが、これはモーター１０３の回転駆動に伴う共振音の発生を軽減するものではなかった。
【０００５】
第２の従来技術を図９に示す。これは、図９に示すように、板金よりなる箱状に形成され、一側を開口とし他側を吸気口としたホルダ２０４内に冷却ファン２０３は収納保持される。同ホルダ２０４の開口の一端には外方に延出した係止爪２０４ｅと位置決め部２０４ｆが形成されており、他端にはスリット（図示略）とネジ孔（図示略）を穿設した固定部（図示略）が外方に延出し形成されている。機器の筐体には円形状の排気口２０２が設けられ、同排気口２０２の一側には前記係止爪２０４ｅと位置決め部２０４ｆに対応する係止部２０５と位置決め用突起２０６が設けられ、他側には前記スリットに係合するＬ字状の係止爪が立設されるとともに、前記ネジ孔に対応するネジ挿通孔が穿設されている。（例えば、特許文献２参照）。
【０００６】
ところが、これにおいても、冷却ファンの駆動に伴う共振音を軽減させるものではなかった。
【特許文献１】特開平９−１１６０６１号公報
【特許文献２】特開平８−２２８０８６号公報
【発明の開示】
【発明が解決しようとする課題】
【０００７】
本発明は、上記従来の問題に鑑みてなされたものであって、ファンーモーターの回転駆動による共振音を軽減することができ、ファンモーターを装備している機器における騒音を軽減でき、しかも追加部品を必要とせずに騒音を軽減できるファンモーターの取付構造を提供することを目的としている。
【課題を解決するための手段】
【０００８】
本発明は、上記課題を解決するために提案されたものであって、請求項１に記載の発明は、ファンモーターをリヤパネルに取り付けるようにしたファンモーターの取付構造において、前記リヤパネルにおける前記ファンモーターが取り付けられる箇所のファンモーターの略中央部対向箇所に２つの略半球状の突起が設けられ、前記ファンモーターがリヤパネルに取り付けられるときに、前記２つの突起の先端が前記ファンモーターの底面に当接するように構成したことを特徴としている。
【０００９】
請求項２に記載の発明は、ファンモーターをリヤパネルに取り付けるようにしたファンモーターの取付構造において、前記リヤパネルの裏面あるいは前記ファンモーターの底面に、１つ以上の突起が設けられ、前記ファンモーターがリヤパネルに取り付けられるときに、前記突起の先端が前記ファンモーターの下面あるいは前記リヤパネルの底面に当接するように構成したことを特徴としている。
【００１０】
請求項３に記載の発明は、前記突起が前記リヤパネルの裏面側に設けられて角錐状に形成されている。
【００１１】
請求項４に記載の発明は、前記突起が前記ファンモーターの底面側に設けられて略半球状に形成されている。
【００１２】
請求項５に記載の発明は、前記突起が前記ファンモーターの底面側に設けられて角錐状に形成されている。
【発明の効果】
【００１３】
請求項１に記載の発明によれば、リヤパネルに設けられた２つの略半球状の突起の先端が、ファンモーターの底面の略中心部に当接するので、ファンーモーターの回転駆動による共振音を軽減することができ、ファンモーターを装備している機器における騒音を軽減でき、しかも追加部品を必要とせずに騒音を軽減できる。
【００１４】
請求項２に記載の発明によれば、リヤパネルの裏面に１つ以上の突起が設けられているものでは、この１つ以上の突起の先端がファンモーターの底面に当接するので、ファンーモーターの回転駆動による共振音を軽減することができ、ファンモーターを装備している機器における騒音を軽減でき、しかも追加部品を必要とせずに騒音を軽減できる。また、ファンモーターの底面に１つ以上の突起が設けられているものでも、この１つ以上の突起の先端がリヤパネルの裏面に当接するので、ファンーモーターの回転駆動による共振音を軽減することができ、ファンモーターを装備している機器における騒音を軽減でき、しかも追加部品を必要とせずに騒音を軽減できる。
【００１５】
請求項３に記載の発明によれば、リヤパネルの裏面側に設けられた角錐状の突起の鋭角な先端がファンモーターの底面に当接するので、接触面積が小さくて、ファンーモーターの回転駆動による共振音をより一層軽減することができ、ファンモーターを装備している機器における騒音を軽減でき、しかも追加部品を必要とせずに騒音を軽減できる。
【００１６】
請求項４に記載の発明によれば、ファンモーターの底面に設けられた略半球状の突起の先端がリヤパネルの裏面に当接するので、ファンーモーターの回転駆動による共振音を軽減することができ、ファンモーターを装備している機器における騒音を軽減でき、しかも追加部品を必要とせずに騒音を軽減できる。
【００１７】
請求項５に記載の発明によれば、ファンモーターの底面に設けられた角錐状の突起の鋭角な先端がリヤパネルの裏面に当接するので、接触面積が小さくて、ファンーモーターの回転駆動による共振音を軽減することができ、ファンモーターを装備している機器における騒音を軽減でき、しかも追加部品を必要とせずに騒音を軽減できる。
【発明を実施するための最良の形態】
【００１８】
以下、本発明に係るファンモーターの取付構造の実施の形態を、図を参照しつつ説明する。
【００１９】
図１は本発明の第１実施形態のファンモーターの取付構造を示す正面図、図２は同ファンモーターの取付構造の側面図である。
【００２０】
この第１実施形態のファンモーターの取付構造は、図１、図２に示すように、リヤパネル１におけるファンモーター２が取り付けられる箇所のファンモーター２の略中央対向箇所に、２つの略半球状の突起３、３が設けられている。この２つの突起３、３はファンモーター２がビス４で取り付けられる際に、ファンモーター２の底面の略中央箇所にその先端が当接するようになっている。尚、図１、図２において、符号５はファンモーター２の羽根である。
【００２１】
従って、この第１実施形態によれば、リヤパネル１に設けられた２つの略半球状の突起３、３の先端が、ファンモーター２の底面の略中央部に当接するので、ファンーモーター２の回転駆動による共振音を軽減することができ、ファンモーター２を装備している機器における騒音を軽減でき、しかも追加部品を必要とせずに騒音を軽減できる。
【００２２】
図３は第２実施形態のファンモーターの取付構造を示す正面図である。
【００２３】
この第２実施形態のファンモーターの取付構造は、図３に示すように、リヤパネル１におけるファンモーター２が取り付けられる箇所のファンモーター２の略中央対向箇所に、２つの角錐状の突起３Ａ、３Ａが設けられている。この２つの突起３Ａ、３Ａの鋭角状の先端は、ファンモーター２がビス４で取り付けられる際に、ファンモーターの底面の略中央箇所に当接するようになっている。
【００２４】
従って、この第２実施形態によれば、リヤパネル１に設けられた２つの角錐状の突起３Ａ、３Ａの鋭角な先端が、ファンモーター２の底面の略中央部に当接するので、ファンモーター２の回転駆動による共振音をより一層軽減することができ、ファンモーター２を装備している機器における騒音を軽減でき、しかも追加部品を必要とせずに騒音を軽減できる。
【００２５】
図４は第３実施形態のファンーモーターの取付構造を示す正面図、図５は同ファンモーターの取付構造の側面図である。
【００２６】
この第３実施形態のファンモーターの取付構造は、図４、図５に示すように、ファンモーター２の底面の略中央部に２つの略半球状の突起３Ｂ、３Ｂが設けられ、この略半球状の突起３Ｂ、３Ｂが、ファンモーター２がビス４でリヤパネル１の裏面に当接するようになっている。
【００２７】
従って、この第３実施形態によれば、ファンモーター２における底面の略中央部の２つの略半球状の突起３Ｂ、３Ｂがリヤパネル１の裏面に当接するので、ファンーモーター２の回転駆動による共振音を軽減することができ、ファンモーター２を装備している機器における騒音を軽減でき、しかも追加部品を必要とせずに騒音を軽減できる。
【００２８】
図６は第４実施形態のファンモーターの取付構造を示す正面図である。
【００２９】
この第４実施形態のファンモーターの取付構造は、図６に示すように、ファンモーター２の底面の略中央部に２つの角錐状の突起３Ｃ、３Ｃが設けられ、この角錐状の突起３Ｃ、３Ｃが、ファンモーター２がビス４でリヤパネル１の裏面に当接するようになっている。
【００３０】
従って、この第４実施形態によれば、ファンモーター２における底面の略中央部の２つの角錐状の突起３Ｃ、３Ｃがリヤパネル１の裏面に当接するので、ファンモータファンーモーター２の回転駆動による共振音をより一層軽減することができ、ファンモーター２を装備している機器における騒音を軽減でき、しかも追加部品を必要とせずに騒音を軽減できる。
【００３１】
尚、上記各実施形態では、突起が２つ有るものについて説明したが、これに限らず、１つもしくは３つ以上有るものも適用できることは勿論である。
【図面の簡単な説明】
【００３２】
【図１】本発明の第１実施形態のファンモーターの取付構造を示す正面図である。
【図２】同ファンモーターの取付構造の側面図である。
【図３】第２実施形態のファンモーターの取付構造を示す正面図である。
【図４】第３実施形態のファンーモーターの取付構造を示す正面図である。
【図５】同ファンモーターの取付構造の側面図である。
【図６】第４実施形態のファンモーターの取付構造を示す正面図である。
【図７】従来の電子部品用冷却装置を示す分解斜視図である。
【図８】同冷却装置の斜視図である。
【図９】従来のファン固定装置を示す分解斜視図である。
【符号の説明】
【００３３】
１        リヤパネル
２        ファンモーター
３        略半球状の突起
３Ａ      角錐状の突起
３Ｂ      略半球状の突起
３Ｃ      角錐状の突起
４        ビス
５        羽根
【図１】
2006002707.tif 000003
【図２】
2006002707.tif 000004
【図３】
2006002707.tif 000005
【図４】
2006002707.tif 000006
【図５】
2006002707.tif 000007
【図６】
2006002707.tif 000008
【図７】
2006002707.tif 000009
【図８】
2006002707.tif 000010
【図９】
2006002707.tif 000011